(57)【特許請求の範囲】
【請求項１】
既設戸先門柱に取付けるアタッチメントと、伸縮門扉本体とを備え、アタッチメントは既設戸先門柱の伸縮門扉本体側面にその長手方向略全長に亘って設けてあり、見込方向の中央部に横断面が略Ｃ字状を成す溝部と、見込方向の両側に伸縮門扉本体側に突設した中空部と、伸縮門扉本体の戸先側錠と係合する係合部材とを有し、溝部には係合部材を上下方向の任意の位置で取付自在であり、既設戸先門柱とアタッチメントと伸縮門扉本体の戸先框との各見付面が略同一平面に位置することを特徴とする伸縮門扉。
【発明の詳細な説明】
【技術分野】
【０００１】
本発明は、伸縮門扉に関する。
【背景技術】
【０００２】
伸縮門扉の改装において、既設門柱を残したまま新規伸縮門扉本体（以下、単に「伸縮門扉本体」という）を取付けることが従来から行われている。
かかる改装方法として、特許文献１には、既設戸先門柱を筒状の新規戸先門柱の中空に挿入して、戸先門柱を改装することが開示されている。
また、特許文献１には、既設戸先門柱の伸縮門扉本体側面にその長手方向の略全長に亘ってアタッチメントを取付けることが開示されている。このアタッチメントには伸縮門扉本体の戸先側錠と係合する係合部材が所定位置に固定されている。
【先行技術文献】
【特許文献】
【０００３】
【特許文献１】特許第３８０９５３０号公報
【発明の概要】
【発明が解決しようとする課題】
【０００４】
しかし、筒状の新規戸先門柱の中空に既設戸先門柱を挿入する場合には、例えば既設戸先門柱の伸縮門扉本体と反対側の面（背面）に塀等の障害物や隣家との境界線が隣接している場合、障害物が邪魔になったり隣家との境界線から食み出るおそれがあるので、容易に改装できないという問題がある。
これに対して、既設戸先門柱の伸縮門扉本体側面にその長手方向の略全長に亘ってアタッチメントを取付ける場合には、既設戸先門柱に隣接している障害物や隣家との境界線が邪魔になるおそれはないが、特許文献１の技術では、伸縮門扉本体の戸先側錠と係合する係合部材は、所定位置に固定されているから、伸縮門扉本体の種類や大きさが異なる為に戸先側錠の位置が上下方向で異なる場合には、異なる種類のアタッチメントを用意しなければならない。この為、アタッチメントの種類が多く必要になるという不都合がある。
また、特許文献１の技術では、アタッチメントはその全体が伸縮門扉本体側に突設している形状である為、伸縮門扉本体を勢いよく閉じた場合等に伸縮門扉本体の戸先框がアタッチメント全体に衝突して、伸縮門扉本体の戸先框を損傷するおそれがある。
更に、特許文献１の技術では、伸縮門扉本体を閉じたとき状態ではアタッチメントと既設戸先門柱と伸縮門扉本体の戸先框との各見付面の間で段差が生じている為、意匠性が低下するという問題がある。
【０００５】
そこで、本発明は、既設戸先門柱に塀等の障害物や隣家との境界線が隣接している場合でも改装が容易にでき、伸縮門扉本体の戸先側錠の位置が上下方向で異なる場合でも同種のアタッチメントを使用でき、伸縮門扉本体の戸先框の損傷を低減でき、且つ外観が良い伸縮門扉の提供を目的とする。
【課題を解決するための手段】
【０００６】
請求項１に記載の発明は、既設戸先門柱に取付けるアタッチメントと、伸縮門扉本体とを備え、アタッチメントは既設戸先門柱の伸縮門扉本体側面にその長手方向略全長に亘って設けてあり、見込方向の中央部に横断面が略Ｃ字状を成す溝部と、見込方向の両側に伸縮門扉本体側に突設した中空部と、伸縮門扉本体の戸先側錠と係合する係合部材とを有し、溝部には係合部材を上下方向の任意の位置で取付自在であり、既設戸先門柱とアタッチメントと伸縮門扉本体の戸先框との各見付面が略同一平面に位置することを特徴とする。
【発明の効果】
【０００７】
請求項１に記載の発明によれば、アタッチメントは既設戸先門柱の伸縮門扉本体側面に設けてあるので、既設戸先門柱に塀等の障害物や隣家との境界線が隣接している場合でもこれらが邪魔にならずに改装が容易にできる。
アタッチメントは見込方向の中央部に横断面が略Ｃ字状を成す溝部を設けてあり、この溝部には伸縮門扉本体の戸先側錠と係合する係合部材を上下方向の任意の位置で取付自在としてあるので、伸縮門扉の改装をするときに、伸縮門扉本体の種類やサイズが異なる為に伸縮門扉本体の戸先側錠の上下位置が異なる場合でも溝部に沿って係合部材の位置を調整して固定することで、同種のアタッチメントを用いることができる。
アタッチメントには、見込方向の中央部を挟む両側に伸縮門扉本体側に突設した中空部を設けているので、伸縮門扉本体を勢いよく閉じた場合等でも、伸縮門扉本体の戸先框は中空部に当接し、中空部が衝撃を緩衝するので、伸縮門扉本体の戸先框が損傷するのを防止できる。
伸縮門扉本体を閉じたときに既設戸先門柱とアタッチメントと伸縮門扉本体の戸先框との各見付面が略同一平面に位置するから、従来技術の段差が生じる場合に比較して意匠性が高い。
【図面の簡単な説明】
【０００８】
【図１】本発明の実施の形態に係る伸縮門扉の戸先門柱を示す図であり、（ａ）は伸縮門扉本体側から見た側面図、（ｂ）は家側から見た正面図、（ｃ）は（ａ）に示すＡ１―Ａ１断面図、（ｂ）は（ａ）に示すＡ２―Ａ２断面図、（ｅ）は（ａ）に示すＡ３―Ａ３断面図である。
【図２】本実施の形態に係る伸縮門扉の吊元門柱を示す図であり、（ａ）は伸縮門扉本体側から見た側面図、（ｂ）は家側から見た正面図、（ｃ）は（ａ）に示すＢ―Ｂ断面図である。
【図３】（ａ）は図４に示す伸縮門扉の水平断面図であり、（ｂ）は（ａ）に示す戸先側錠を抜き出して示す平面図である。
【図４】（ａ）は本実施の形態に係る伸縮門扉を道路側から見た正面図であり、（ｂ）は本実施の形態に係る伸縮門扉の平面図である。
【図５】本発明の変形例に係る伸縮門扉の戸先門柱を示す図であり、（ａ）は伸縮門扉本体側から見た側面図、（ｂ）は（ａ）に示すＡ４―Ａ４断面図である。
【発明を実施するための形態】
【０００９】
以下に、添付図面の図１〜図４を参照して本発明の実施の形態を説明する。図４に示すように、本実施の形態に係る伸縮門扉１は、戸先門柱３と、吊元門柱５と、伸縮門扉本体７とを備えている。伸縮門扉本体７はその吊元框７ａが吊元門柱５に兆番９ａ、９ｂにより連結してあり、図４（ｂ）に二点鎖線で示すように、伸縮門扉本体７を吊元側に縮めた状態で家側に回動できるようになっている。
尚、本実施の形態では、既設伸縮門扉は伸縮門扉本体の吊元側部を吊元門柱に固定した形式の伸縮門扉であるが、改装後の伸縮門扉は既設吊元門柱に兆番９ａ、９ｂを設けて伸縮門扉本体７を縮めた状態で吊元門柱５に対して回動できる形式の伸縮門扉に改装している。
図１及び図３に示すように、戸先門柱３には既設戸先門柱２の伸縮門扉本体側面２ａに戸先門柱用アタッチメント１１が取り付けてある。戸先門柱用アタッチメント１１は、既設戸先門柱２の伸縮門扉本体側面２ａにその見込み巾と略同じ巾で、既設戸先門柱２の上下方向において上端２ｂから下端を少し残して、略全面に亘って取付けてある。
【００１０】
図１に示すように、戸先門柱用アタッチメント１１は、見込方向の中央部に横断面が略Ｃ字状を成す溝部１２（図１（ａ）（ｅ）参照）と、溝部１２を挟む見込方向の両側で伸縮門扉本体側に突設した中空部１３ａ、１３ｂとを有し、溝部１２には伸縮門扉本体の戸先側錠１７と係合する係合部材１５が固定されている。
溝部１２は戸先門柱用アタッチメント１１の上下に亘って設けてあり且つ伸縮門扉本体７側が開口してあり、左右の開口部１２ａ、１２ｂにより開口を狭めて横断面略Ｃ状を成している。溝部１２には係合部材１５が溝部１２に沿って移動自在に設けてある。
図１（ｄ）に示すように、係合部材１５は、内側係合部１５ａと外側係合部１５ｂとを有し、内側係合部１５ａを溝内に配置して、内側係合部１５ａと外側係合部１５ｂとで開口部１２ａ、１２ｂを挟み、リベットで固定している。係合部材１５において、開口部１２ａ、１２ｂ間には、開口１９が形成されており、この開口１９から溝部１２内に伸縮門扉本体の戸先錠１７が挿脱し、開口１９から挿入した伸縮門扉本体の戸先錠１７が左右に広がることにより（図３（ｂ）参照）被係合部１５に係合するようになっている。
中空部１３ａ、１３ｂは、戸先門柱用アタッチメント１１の各々上下方向に亘って設けてあり、その上部と下部とでねじ２３により、戸先門柱用アタッチメント１１を既設戸先門柱２に固定している。中空部１３ａ、１３ｂは、伸縮門扉本体７側に突設して設けており、各中空部１３ａ、１３ｂの伸縮門扉本体側面（先端面）１４は、係合部材１５の伸縮門扉本体側面１６と略同じ位置にあり、伸縮門扉本体７を勢いよく閉じた場合等に、伸縮門扉本体７の戸先框が当接して中空部１３ａ、１３ｂが衝撃を緩衝するようになっている。
尚、戸先門柱用アタッチメント１１は、図１（ａ）に示すように、左右の中空部１３ａ、１３ｂの上部と下部、及び溝部１２の溝底１２ｃの上部と下部とで、ねじ２３により既設門柱２に固定されている。
【００１１】
図２に示すように、吊元門柱５は既設吊元門柱６の伸縮門扉本体側面６ａにおいて、上兆番９ａと下兆番９ｂとの間の位置に吊元門柱用アタッチメント２５が取り付けてある。吊元門柱用アタッチメント２５は、その見込み方向中央部に伸縮門扉本体７側に突設した係合部２７が設けてあり、伸縮門扉本体７の吊元側錠３１と係合するようになっている。この吊元門柱用アタッチメント２５は、既設吊元門柱６の見付面６ｂ、６ｃにねじ２３により固定されているが、本実施の形態では、吊元門柱用アタッチメント２５は、既設吊元門柱６に設けてあるヒンジ９ａ、９ｂ用取付け溝２４内に配置した裏板にねじ２３を螺合して固定している。
吊元門柱用アタッチメント２５は、その見込み方向中央部に伸縮門扉本体７側に突設して既設吊元門柱６との間に空間３０を形成して伸縮門扉本体７の吊元側錠（係合部）３１を収容する断面略凸形状であり、伸縮門扉本体７の吊元側錠３１と係合するようになっている。
被係合部２７は、伸縮門扉本体７側に突設して既設吊元門柱６との間に吊元側錠３１が係合する空間を形成している。この被係合部２７は伸縮門扉本体側面の上端２７ａが見付面の上端２５ａよりも低い位置にあり、伸縮門扉本体側面の上端２７ａに吊元側錠３１が上から係合するようになっている。
【００１２】
次に、伸縮門扉本体７について説明する。図３（ａ）に示すように、伸縮門扉本体７の戸先框７ｂには戸先側錠１７が設けてある。この戸先側錠１７は、図３（ｂ）に示すように、２つの係合片１７ａ、１７ｂからなり、２つの係合片１７ａ、１７ｂは上から見たときに基端側が左右に交差して設けてあり、係合片１７ａ、１７ｂの先端が左右に広がったり、狭まったりするようになっている。係合部１７が係合部材１５に係合した状態では係合片１７ａ、１７ｂの先端が左右に広がった状態になっている。そして、係合を外す場合には、図３（ｂ）に矢印Ｅに示すように、係合片１７ａ、１７ｂの先端が左右に狭めるように移動する。
伸縮門扉本体７の吊元框７ａは、図３（ａ）に示すように、兆番９ａ、９ｂにより回動自在に連結してあると共に、上下に回動する吊元側錠（カマ）３１により吊元門柱用アタッチメント２５の係合部２７に上から係合するようになっている。
また、図３（ａ）に示すように、本実施の形態では、既設戸先門柱２の見付面２ｃとアタッチメント１１の見付面１１ｃと伸縮門扉本体７の戸先框７ｂの見付面７ｅとが略同一平面に位置するようにしてある。
【００１３】
次に、本実施の形態による伸縮門扉１の改装作業、作用効果について説明する。伸縮門扉１を改装するときには、まず、図１に示すように既設戸先門柱２に戸先門柱用アタッチメント１１を取り付け、図２に示すように既設吊元門柱６に吊元門柱用アタッチメント２５を取り付ける。
戸先門柱用アタッチメント１１の取り付けは、図１に示すように、既設戸先門柱２の伸縮門扉本体側面２ａの略全面に戸先門柱用アタッチメント１１を配置して、中空部１３ａ、１３ｂの上部と下部及び溝部１２の溝底１２ｃを各々ねじ２３で既設戸先門柱２の伸縮門扉本体側面２ａに固定する。
吊元門柱用アタッチメント２５の取り付けは、図２に示すように、既設吊元門柱６の伸縮門扉本体側面６ａの上兆番９ａと下兆番９ｂとの間に吊元門柱用アタッチメント２５を配置し、既設吊元門柱６の見付面６ｂ、６ｃにねじ２３で固定する。尚、既設吊元門柱６には、吊元門柱用アタッチメント２５を取り付ける前又は取り付けた後に、伸縮門扉本体７の吊元框７ａと既設吊元門柱６とを兆番９ａ、９ｂで連結する。
本実施の形態において、伸縮門扉本体を開閉するとき（伸縮するとき）には、伸縮門扉本体の吊元側錠３１を吊元門柱５の吊元門柱用アタッチメント２５に係合し、伸縮門扉本体７を縮めた状態で伸縮門扉本体７を家側に回動する場合には、吊元側錠１３の係合を外す。
【００１４】
本実施の形態によれば、戸先門柱用アタッチメント１１は既設戸先門柱２の伸縮門扉本体側面２ａに設けてあるので、既設戸先門柱２に塀等の障害物や隣家との境界線が隣接している場合でもこれらが邪魔にならずに改装が容易にできる。
戸先門柱用アタッチメント１１は見込方向の中央部に横断面が略Ｃ字状を成す溝部１２を設けてあり、この溝部１２には伸縮門扉本体７の戸先側錠１７と係合する係合部材１５を上下方向の任意の位置で取付け自在としてあるので、伸縮門扉本体７の種類やサイズが異なる為に伸縮門扉本体７の戸先側錠１７の上下位置が異なる場合でも溝部１２に沿って係合部材の位置を調整して固定することで、同種のアタッチメント１１を用いることができる。したがって、部品種類を少なくできる。
戸先門柱用アタッチメント１１には、見込方向の中央部を挟む両側に伸縮門扉本体７側に突設した中空部１３ａ、１３ｂを設けてあるので、伸縮門扉本体７を勢いよく閉じた場合等でも、伸縮門扉本体７の戸先框７ｂが中空部１３ａ、１３ｂに当接し、中空部１３ａ、１３ｂが衝撃を緩衝するので、伸縮門扉本体７の戸先框７ｂが損傷するのを防止できる。
図３に示すように、伸縮門扉本体７を閉じたときに既設戸先門柱２の見付面２ｃとアタッチメント１１の見付面１１ｃと伸縮門扉本体７の戸先框７ｂの見付面７ｅとが略同一平面に位置するから、従来技術の段差が生じる場合に比較して意匠性が高い。
伸縮門扉本体７を縮めた状態で伸縮門扉本体７を家側に回動できるように吊元門柱５と伸縮門扉本体７とをヒンジ９ａ、９ｂで連結しているが、伸縮門扉本体７の吊元側に吊元側錠３１を設けて吊元門柱用アタッチメント２５に係合してあるから、伸縮門扉本体の開閉時（伸縮時）における伸縮門扉本体７のふらつきを防止できる。
【００１５】
本発明は、上述した実施の形態に限らず、本発明の要旨を逸脱しない範囲で種々変形可能である。
例えば、図５に示すように、伸縮門扉本体の戸先側錠が吊元側錠３１と同様に上下に回動するカマ状のものである場合、係合部材１５は溝部１２の開口を横断する板材１５ｅと裏板１５ｆとで挟んでねじ固定するものであっても良い。  
【符号の説明】
【００１６】
１        伸縮門扉
２        既設戸先門柱
２ｃ      既設戸先門柱の見付面
３        戸先門柱
７        伸縮門扉本体
７ｂ      戸先框
７ｅ      戸先框の見付面
１２      溝部
１３ａ、１３ｂ  中空部
１１      戸先門柱用アタッチメント（アタッチメント）
１１ｃ    アタッチメントの見付面
１５      係合部材
１７      戸先錠
【図１】
0005385768.tif 000002
【図２】
0005385768.tif 000003
【図３】
0005385768.tif 000004
【図４】
0005385768.tif 000005
【図５】
0005385768.tif 000006